(57)【要約】【課題】  長時間叩打又は指圧を行っても、腕の疲れ、腰の負担などを殆ど伴うことなく、ツボを正確に刺激し、その刺激効果が少なくとも数日以上継続するツボ刺激木槌を提供する。【解決手段】  頭部２と、頭部２の長手方向側面２ａに直交するように接合される把手部３とを含み、略Ｔ字状に形成されるツボ刺激用木槌１において、頭部２と把手部３との接合部４から、把手部３の頭部２から離反する５ｃｍ以内の部分に重心位置が来るように構成する。【選択図】  図１
2005246001.tif 000002
【特許請求の範囲】
【請求項１】
頭部と、頭部の長手方向側面に直交するように接合される把手部とを含み、略Ｔ字状に形成されるツボ刺激用木槌において、
頭部と把手部との接合部から、把手部の頭部から離反する５ｃｍ以内の部分に重心位置があるツボ刺激用木槌。
【請求項２】
頭部の長手方向と直交する方向の側面のいずれか一方又は両方に、突起状のツポ刺激体が１又は２個以上形成されてなる請求項１記載のツポ刺激用木槌。
【請求項３】
把手部の長手方向の長さが、頭部の長手方向の２〜１０倍である請求項１又は２記載のツボ刺激用木槌。
【請求項４】
把手部は、頭部から離反する方向の端部が、曲率を有する面によって構成される請求項１〜３のいずれか１つに記載のツボ刺激用木槌。
【請求項５】
把手部の直径が１〜４ｃｍである請求項１〜４のいずれかに記載のツボ刺激用木槌。
【発明の詳細な説明】
【技術分野】  本発明は、ツボ刺激用木槌に関する。
【背景技術】  従来から、指圧、針、叩打、マッサージ等によって体各所のツボを刺激し、血行を良くすることによって、疲労回復が図られ、肩こり、冷え症、便秘等の治療も行われる。これらの中でも、叩打は、最も手軽にでき、古くから一般的に行われる方法である。叩打は、握り拳でも行われるが、叩打用木槌が多く市販されるので、木槌を利用して行われることが多い。
従来市販される叩打用木槌は、円柱状又は多角形状の頭部と、頭部の長手方向側面に直交するように接合される把手部とを含み、略Ｔ字状に形成されるものである。このような木槌を用いて体の各部を叩打すると、その当初は、確かに血行が良くなり、肩こりや疲労がなくなったように感じる。しかしながら、叩打後１〜２日を経過すると、再び肩こり、疲労等か生じるのを避けることができず、その効き目が長続きしないという欠点がある。すなわち、木槌による叩打では、ツボそのものを刺激するのではなく、ツボとその周辺部とを含めて刺激するので、指圧等と比べてツボへの刺激が不十分になり、効き目が長続きしない。その欠点を失くすためには、叩打を長時間行えばよいが、従来の木槌で長時間叩打を行うと、腕が疲れやすいという欠点がある。
叩打用木槌としては、例えば、図３に示すものが挙げられる（例えば、特許文献１参照）。図３は、従来の叩打用木槌の構成を示す側面図である。叩打用木槌２０は、頭部２１と、頭部２１の長手方向側面に直交するように接合される把手部２２とを含んで略Ｔ字状に形成され、頭部２１表面及び把手部２２の頭部２１から離反する方向の端部２２ａ付近の表面には、それぞれ複数の弾性突起２３，２４，２５，２６が設けられる。この叩打用木槌２０によれば、単に叩打を行うだけでなく、頭部２１及び把手部２２の端部２２ａに設けられた弾性突起２３，２４，２５，２６によって手のマッサージを行うことができる。しかしながら、この叩打用木槌２０では、頭部２１と把手部端部２２ａの表面に非常に小さな弾性体２３，２４，２５，２６がほぼ均一に設けられるので、人体の中の比較的小さな範囲にあるツボを直接刺激するのは困難であり、刺激力も弱い。従って、効き目が長続きしないという木槌の欠点を解消するものではない。また、把手部２２の端部２２ａに弾性体２３，２４，２５，２６が設けられ、叩打する際には、把手部２２の頭部２１に近接する部分を握らなければならないので、頭部２１の重みが腕に伝わり易くなり、長時間の叩打による腕の疲れは一層助長される。
一方、指圧用の器具としては、主に、指圧棒が用いられる。指圧棒は、長さ１０〜１２ｃｍ程度の円柱状の棒であって、一般に、一端がツボ刺激部でありかつもう一端が握り部であり、握り部の直径がツボ刺激部の直径よりも大きく、手で握り易くなる程度に形成される。握り部を手で握り、ツボ刺激部をツボに押し付けることによって、指圧が行われる。しかしながら、指圧棒は、他者による施療を受ける際に、他者が使用することを目的として作成されたものである。従来の指圧棒を用いて自身で指圧を行うと、掌くらいであれば特に問題はないが、腹部、足等の場合は叩打よりも腕が一層疲れ易く、腰にも負担が掛り、２〜３時間程度の長時間の継続は非常に困難である。
最近提案された指圧棒としては、例えば、図４に示すものが挙げられる（例えば、特許文献２参照）。図４は、従来のツボ刺激用指圧棒３０の構成を示す側面図である。ツボ刺激用指圧棒３０は、ツボを刺激する第１の端部３１と、峰部３２と、手で握ることによってこの指圧棒３０を支持する把手部３３と、図示しない木槌による叩打を受ける第２の端部３４とを含んで構成され、端部３１は峰部３２から離反するほど径が小さくなる円錐形状に形成される。この指圧棒３０によれば、第１の端部３１の先端３１ａをツボに当て、第２の端部３４を木槌で叩打することによって、ツボが刺激される。
しかしながら、このツボ刺激用指圧棒３０の使い方では、第１の端部３１がツボに当たる位置を連続的に変化させることは困難であり、ツボに一時的に一方向からの力を加えるだけに過ぎない。従って、十分な血行改善効果を望むことはできない。ツボを刺激して血行を良くするためには、ツボを同時に多方向から連続的に揉みほぐすような動作が必要である。また、木槌を用いるので、長時間の継続により、腕が疲れ易いという欠点は解消されない。さらに、ツボに当たる第１の端部３１が、角を有する形状に形成されているので、ツボに強く当たると、人によっては、傷、内出血等を起こすことがある。
このように、従来の叩打用木槌及び指圧棒の中には、それを長時間継続して叩打又は指圧を行う際に、大きな腕の疲れを伴うことなく、ツボを正確に多方向から揉みほぐすように刺激し、その効果が数日以上持続するものは提案されていない。
【特許文献１】  実開平７−５６３１号公報
【特許文献２】  特開２００３−１１１８１２号公報
【発明の開示】
【発明が解決しようとする課題】  本発明の目的は、叩打及び指圧を行うことができ、少なくとも２〜３時間以上の長時間叩打及び／又は指圧を行っても、腕や腰の疲れが非常に少なく、ツボを正確に刺激でき、その効果が数日以上持続し得るツボ刺激用木槌を提供することである。
【課題を解決するための手段】  すなわち本発明は、下記（１）〜（５）のツボ刺激用木槌に係る。
（１）頭部と、頭部の長手方向側面に直交するように接合される把手部とを含み、略Ｔ字状に形成されるツボ刺激用木槌において、
頭部と把手部との接合部から、把手部の頭部から離反する５ｃｍ以内の部分に重心位置があるツボ刺激用木槌。
（２）頭部の長手方向と直交する方向の側面のいずれか一方又は両方に、突起状のツポ刺激体が１又は２個以上形成されてなる上記（１）のツポ刺激用木槌。
（３）把手部の長手方向の長さが、頭部の長手方向の２〜１０倍である上記（１）又は（２）のツボ刺激用木槌。
（４）把手部は、頭部から離反する方向の端部が、曲率を有する面によって構成される上記（１）〜（３）のいずれか１つのツボ刺激用木槌。
（５）把手部の直径が１〜４ｃｍである上記（１）〜（４）のいずれか１つのツボ刺激用木槌。
【発明の効果】  本発明のツボ刺激用木槌は、円柱状又は多角形状の頭部と、頭部の長手方向側面に直交するように接合される把手部とを含み、略Ｔ字状に形成されるツボ刺激用木槌において、頭部と把手部との接合部から、把手部の頭部から離反する５ｃｍ以内の部分に重心位置が来るように頭部及び把手部の形状、大きさ、材質等を適宜調整することによって、長時間叩打を行っても、腕の疲れを非常に少なくすることができ、しかも、頭部の重量が効率良くツボに伝わるので、少ない力で効果的にツボを刺激することができる。
なお本明細書において、「重心位置」とは、水平に釣り合いが取れる支点を意味する。
また本発明のツボ刺激用木槌において、頭部の長手方向に直交する方向の側面（頭部の叩打面）に、１又は２以上の突起状ツボ刺激体を形成することによって、叩打の際に、ツボを的確に刺激することができ、叩打による効果が従来の木槌よりも長く続く。例えば、頭部の叩打面の一方に突起状ツボ刺激体を設け、もう一方の叩打面には突起状ツボ刺激体を設けない構成を採ると、まず、ツボ刺激体を設けない叩打面でツボ及びその周辺部を叩打して全体的な結構の改善を促した後、さらにツボ刺激体を設けた叩打面でツボを的確に刺激することにより、叩打効果が一層向上し、しかもその効果を長持ちさせることができる。すなわち、ツボ刺激体を設けない叩打面による温和なツボへの刺激と、ツボ刺激体を設けた叩打面による的確なツボとを組み合わせることによって、ツボへの刺激効果が相乗的に向上し、肩こりなどの解消に著しく有効である。
また本発明のツボ刺激用木槌において、把手部の長手方向の長さを、頭部の長手方向の長さの２〜１０倍にすることによって、この木槌をツボ刺激用指圧棒として用いる場合に、長時間指圧を行っても腕の疲れが非常に少なく、また、ツボを正確にかつ多方向から連続的に揉みほぐすように刺激することができるので、その効果が数日以上持続する。
なお、本発明のツボ刺激用木槌を用いて指圧を行うに際しては、例えば、一方の手で頭部を握り、もう一方の手で把手部を握り、把手部の頭部から離反する方向の端部をツボに当て、主に頭部の方から力を加え、把手部を握った方の手で位置を調整することにより、ツボを正確にかつ適度な力で刺激することができる。この際、把手部の長さが従来の指圧棒のように短くなく、適度に長いので、腹部や、足、足の裏等を指圧しても、腕や腰の疲れが非常に少なくなる。
また本発明のツボ刺激用木槌において、把手部の頭部から離反する方向の端部を、曲面を有する面により構成することによって、この端部でツボを刺激する際に、この端部のツボへの当たり具合が柔らかくなり、傷、内出血等が発生することは皆無である。
また本発明のツボ刺激用木槌において、把手部の直径を１〜４ｃｍにすることによって、把手部の端部で指圧によりツボを刺激する際に、ツボの部分をさらに正確に刺激することができる。
【発明を実施するための最良の形態】  図１は、本発明の実施の第一形態であるツボ刺激用木槌１の構成を模式的に示す斜視図である。
ツボ刺激用木槌１は、叩打によりツボを刺激する頭部２と、頭部２の長手方向（軸線方向）の側面２ａに、頭部２の長手方向の軸線に直交するように接合される把手部３とを含んで構成され、略Ｔ字上に形成される。
さらに、ツボ刺激用木槌１は、頭部２と把手部３との接合部４から、把手部３の頭部２から離反する方向への５ｃｍ以内の部分Ｌに、その重心位置を有する。重心位置を任意の支点で支えると、ツボ刺激用木槌１は、水平方向に釣り合いがとれ、いずれか一方が重力の方向に沈み、釣り合いが崩れることがない。この様な構成を採ることによって、長時間叩打を行っても、腕の疲れが非常に少なくなる。しかも、頭部２の重量がツボに効率良く伝わり、小さい力でツボを効果的に刺激することができ、この面でも腕の疲れを最小限に止めることができる。
この様な構成は、頭部２及び把手部３のそれぞれの直径、長手方向（軸線方向）の長さ及び材質（密度等）から選ばれる１種又は２種以上を適宜選択することによって、容易に実現できる。５ｃｍを超える位置に重心位置があると、相対的に頭部２が重くなり、長時間の叩打による腕の疲れが大きくなるだけでなく、ツボに加わる力が大きくなり過ぎ、打撲による怪我が発生するおそれもある。
頭部２は、円柱状に形成される頭部２の長手方向（軸線方向）に直交する方向の面の直径は特に制限されないが、通常２〜８ｃｍ、好ましくは３〜６ｃｍである。ここで、頭部２が多角柱状に形成される場合の直径とは、対角線を意味する。また、頭部２の長手方向の長さも特に制限されないが、通常３〜１５ｃｍ、好ましくは５〜１２ｃｍである。
頭部２の長手方向に直交する方向の側面２ｘ，２ｙは、平面に形成されてもよいが、好ましくは、外方へ突出するように形成される。具体的には、例えば、半球状、半楕円球状などの曲率を有する面で構成される突起状、方形状などに形成され、曲率を有する面で構成される突起状が好ましい。
頭部２は、通常木材及び木質材料から選ばれる１種又は２種以上で構成される。木質材料とは、木材を含む材料であり、たとえば、数種の木材の圧縮材、合板等である。以下同様とする。さらに、合成樹脂、ゴム弾性体等を用いることもできる。なお、叩打に用いられることから、密度及び／又は硬度が、人体を傷つけない程度（例えば、内出血、痣、擦過傷等ができない程度）に、低いものが好ましい。
把手部３は、頭部２と同様に、円柱状又は多角柱状に形成され、多角柱状に形成される場合は、６角柱、８角柱等が好ましい。これらの形状の中でも、円柱状、８角柱状等が好ましい。直径は特に制限されないが、好ましくは１〜４ｃｍ、より好ましくは１．５〜３ｃｍである。但し、頭部２の直径よりも小さくするのが好ましい。ここで、把手部３が多角柱状に形成される場合の直径とは、対角線を意味する。これによって、木槌１を指圧棒として用いる場合に、ツボを正確に刺激することができる。
また、把手部３の長手方向（軸線方向）の長さは特に制限されず、頭部３の長手方向（軸線方向）の長さに応じて広い範囲から適宜選択できるが、好ましくは頭部３の長手方向の長さの２〜１０倍、さらに好ましくは３〜６倍である。ただし、指圧棒として用いる場合には、長手方向（軸線方向）の長さは、好ましくは２０〜４０ｃｍ程度、より好ましくは２５〜３５ｃｍ程度なので、頭部２の長手方向の長さとともに、この点を勘案しながら、適宜選択すれば良い。これによって、木槌１を指圧棒として用いる場合に、長時間指圧しても、腕の疲れが非常に少なくなり、腰への負担も著しく軽減される。
把手部３は、通常、木材及び木質材料から選ばれる１種又は２種以上で構成される。さらに、合成樹脂、ゴム弾性体等で形成してもよい。
把手部３の頭部２から離反する方向の端部３ａは、好ましくは、曲率を有する面によって構成され、さらに好ましくは曲率を有する面によって外方へ突出するように形成される。端部３ａの具体的な形状としては、例えば、半球状、半楕円球状等が挙げられる。さらに、把手部３の端部３ａは、把手部３の長手方向の側面３ｂとの境界の角がないように形成されるのが好ましい。このような構成を採ることによって、木槌１を指圧棒として用いる場合に、端部３ａのツボへの当たり具合が柔らかくなり、少し位力を強く加えても、内出血を起こすことがなく、擦過傷等が出来ることもない。
また本実施の形態では、頭部２を多角柱状に形成してもよい。多角柱状に形成される場合は、６角柱、８角柱等が好ましく、８角柱状等が好ましい。その時、長手方向（軸線方向）側面において、各面間の角がなくなるように、角のみを例えば円形に加工してもよい。
また本実施の形態では、頭部２を、長手方向（軸線方向）に形成される図示しない中心部と、中心部に密着し、中心部の周囲を囲むように形成される図示しない被覆部とで構成し、中心部の材質と被覆部の材質を異なるものにしてもよい。たとえば、中心部を木材、木質材料等で構成し、被覆部を木材、木質材料、合成樹脂、ゴム弾性体等で構成する例が挙げられる。
また本実施の形態では、頭部２を軽量化し、腕の疲れを一層軽減するために、頭部２を中空形状に形成してもよい。さらに、把手部３を構成する材料よりも密度の低い材料を、頭部２に用いてもよい。
ツボ刺激用木槌１を用いれば、まず、把手部３を片手で持ち、頭部２の側面２ｘ，２ｙのいずれかがツボに当たるように、叩打することにより、ツボを刺激することができる。また、一方の手で、例えば、人指し指と中指との間又は中指と薬指との間に把手部３が挟まれるように頭部２を握って持ち、もう一方の手で把手部３の端部３ａに近い適当な部分を持ち、端部３ａをツボに当て、主に頭部２を握る方の手から押圧力を加え、主に把手部３を持つ手で刺激位置を調整することによって、腕の疲れ、腰への負担などがない状態で、長時間にわたって、適切な力でツボを正確に揉みほぐすように指圧することができる。
図２は、本発明の実施の第２形態であるツボ刺激用木槌１０の構成を模式的に示す斜視図である。
ツボ刺激用木槌１０は、実施の第１形態であるツボ刺激用木槌１と類似の構造を有するので、類似部分については同一の参照符号を付し、説明を省略する。
ツボ刺激用木槌１０は、頭部２の長手方向（軸線方向）に直交する方向の側面（叩打面）２ｘの略中央部に、ツボ刺激体１１を形成することを特徴とする。ツボ刺激体１１は、その一部が側面２ｘの表面からさらに外方へ突出するように、側面２ｘに形成されるのが好ましい。
ツボ刺激体１１の側面２ｘ表面から外方に突出する先端部分の形状は特に制限されないが、人体に押し付けられる点を考慮すると、曲率を有する面で構成される形状とするのが好ましい。具体的には、例えば、半球状、半楕円球状などに形成される。ツボ刺激体１１の大きさは特に制限されず、頭部２の側面２ｘの直径（即ち頭部２の直径）に応じて広い範囲から適宜選択すればよいが、通常は１〜２０ｍｍ、好ましくは３〜１５ｍｍ、さらに好ましくは５〜１２ｍｍである。
また、ツボ刺激体１１を、円柱状または多角柱状の突起であって、その先端部分が前記のように曲率を有する面で構成されるように形成することもできる。この場合、円柱及び多角柱の径は、頭部２の側面２ｘの直径（即ち頭部２の直径）に応じて広い範囲から適宜選択すればよいが、通常は１〜２０ｍｍ、好ましくは３〜１５ｍｍである。また、円柱及び多角柱の外方へ突出する方向の高さは特に制限されないが、通常１〜２０ｍｍ程度、好ましくは３〜７ｍｍ程度である。
ツボ刺激体１１の材料としては、例えば、木材、木質材料、合成樹脂、ゴム弾性体、セラミックス、金属、石等が挙げられ、これらの１種または２種によってツボ刺激体１１が構成される。木材及び木質材料を用いる場合は、例えば、頭部２と一体成形することができる。一体成形法としては公知の方法を採用でき、例えば、削り出しなどの方法が挙げられる。また、頭部２の側面２ｘに、予め形成された、木材及び／又は木質材料からなるツボ刺激体１１を埋め込むこともできる。この埋め込みにも公知の方法を採用でき、例えば、頭部２の側面２ｘにネジ穴、ツボ刺激体１１にネジ山を設けて接合する方法、頭部２の側面２ｘに凹部を設け、その凹部にツボ刺激体１１を嵌め込み、接着剤などで接合する方法、頭部２の側面２ｘ表面に、接着剤等によって、ツボ刺激体１１を直接接合する方法等が挙げられる。一方、合成樹脂、ゴム弾性体セラミックス、金属、石等を用いる場合は、これらの１種又は２種以上からなるツボ刺激体１１を、上記の埋め込み方法に従って、頭部２の側面２ｘに埋め込むことができる。
なお、ツボ刺激体１１の材質を適宜選択することによって、頭部２の重量を適宜調整することもできる。
本実施の形態では、ツボ刺激体１１を、頭部２の側面２ｘに２個以上形成してもよい。
本実施の形態では、ツボ刺激体１１を、側面２ｘとともに、もう一方の側面（もう一方の叩打面）にも設けることができる。
ツボ刺激用木槌１０を用いて叩打を行えば、頭部２の側面２ｘに埋設されたツボ刺激体１１によってツボが正確に刺激される。一方、ツボ刺激体１１が形成されないもう一方の側面（不図示）での叩打によって、ツボ及びその周辺部が刺激される。この２つの刺激の組み合わせによって、ツボ刺激効果は相乗的により一層高まる。勿論、長時間叩打又は指圧を行っても、腕の疲れ、腰への負担などは最小限に止められる。
なお、本発明のツボ刺激用木槌１，１０では、把手部３を、たとえば、折り尺、折り畳み傘と同様の折り畳み構造に形成し、持ち運び可能な形態にしてもよい。さらに、把手部３を、釣り竿、車載用アンテナ、ポータブルラジオ用アンテナなどのように、先端部の径をやや小さくし、後端部（頭部２に近接する部分）の内部に収納するように短尺化することもできる。
また、本発明のツボ刺激用小槌１，１０は、いずれも、把手部３の端部３ａとは反対の端部が頭部２の内部に埋め込まれるように形成されるが、これに限定されず、把手部３が頭部２を貫通し、把手部３の端部３ａとは反対の端部が頭部２から外方に突出するように形成することもできる。
【図面の簡単な説明】
【図１】  本発明のツボ刺激用木槌の構成を模式的に示す斜視図である。
【図２】  本発明のツボ刺激用木槌の構成を模式的に示す斜視図である。
【図３】  従来の叩打用木槌の構成を示す側面図である。
【図４】  従来のツボ刺激用指圧棒の構成を示す側面図である。
【符号の説明】
１，１０  ツボ刺激用木槌
２  頭部
２ａ，２ｘ，２ｙ  頭部側面
３  把手部
３ａ  把手部端部
３ｂ  把手部側面
４  接合部
１１  ツボ刺激体
【図１】
2005246001.tif 000003
【図２】
2005246001.tif 000004
【図３】
2005246001.tif 000005
【図４】
2005246001.tif 000006